(57)【特許請求の範囲】
【請求項１】
車両の前後方向に延びて車室上方を区画すると共に、前記車両の上面を構成するルーフ面を有するルーフと、
前記ルーフの後側で車体に対し枢支されることにより前記車室の後端開口を開閉可能に区画するバックドアと、
前記バックドアの上端部に対して、車幅方向に延びるように取り付けられたスポイラと、を備え、
前記バックドアは、車室側に配置されるインナパネルと、車外側に配置されかつ前記バックドアの外観面を構成するアウタパネルと、を接合してなり、
前記アウタパネルの上端部には、前記バックドアの外観面から凹陥すると共に、車幅方向に延びかつ、前記バックドア上端部における車幅方向両端の角部において、当該バックドアの側縁に沿って上下方向に拡がるように連続する凹溝が形成されており、
前記スポイラは、前記凹溝内に取付固定されかつ、前記ルーフ面に連続して車両後方へ拡がる上面を有する下側整流板と、前記下側整流板の上面との間で車両後方への空気流路を形成するように当該下側整流板に対し離されて配置された本体部を有する上側整流板と、を含み、
前記上側整流板は、車幅方向に延びる前記本体部の両端それぞれに設けられかつ、当該本体部から前記凹溝に向かって延びる２つの脚部をさらに有しており、
前記下側整流板は、前記凹溝内における車幅方向の中央部に配設され、
前記両脚部は、前記下側整流板における車幅方向の両端部をそれぞれ覆うように配置されかつ、前記凹溝においてバックドアの車幅方向の両側部それぞれで上下方向に拡がる部位に固定され、
前記上側整流板及び下側整流板は、前記上側整流板における前記各脚部の外側面が前記凹溝の各角部の外縁に合致しつつ、前記凹溝を覆って前記バックドア上端部の外観面を構成しており、
前記上側整流板の各脚部には、前記下側整流板に対して係合することによって当該上側整流板と下側整流板との間の相対的な位置決めをする位置決め部と、前記上側整流板と前記下側整流板とを連結する連結部と、前記上側整流板と前記下側整流板とを前記凹溝内に共締めするための共締め部と、が設けられているバックドア構造。
【請求項２】
請求項１に記載のバックドア構造において、
前記上側整流板は、前記各脚部に設けられたファスナによって前記凹溝内に取り付けられ、
前記連結部は、ボルト・ナットからなる締結部材によって構成され、
前記共締め部は、前記上側整流板の各脚部に設けられたスタッドボルトと、前記下側整流板に設けられかつ、前記スタッドボルトが挿通する固定片とを含んで構成されているバックドア構造。
【発明の詳細な説明】
【技術分野】
【０００１】
本発明は、スポイラが取り付けられたバックドア構造に関する。
【背景技術】
【０００２】
従来より、車両の空力特性の向上を目的として、車両後部にリヤスポイラを取り付けることが知られており、例えばハッチバックタイプの車両においては、車室の後部開口を開閉するバックドアの上端部に対して、車幅方向に延びるスポイラが取り付けられることになる。
【０００３】
こうしたスポイラは、同一車種であっても、そのグレードに応じて取り付けられたり、取り付けられなかったり、また、グレードに応じて形状の異なるスポイラ（種類の異なるスポイラ）が取り付けられたりする。このため通常は、スポイラ無しのバックドアを標準とし、その外観面に対して取り付け穴等の穴開け加工を施した上で、スポイラを取り付けるようにしている。従って、スポイラが取り付けられることによって隠れてしまう箇所も、外観面（化粧面）となるように予め加工されることになる。
【０００４】
尚、例えば特許文献１には、バックドアにリヤワイパのためのモータ等を内蔵させることを目的として、そのバックドアの上端部に、外観面から凹陥した凹部を予め形成しておき、その凹部内にモータを取り付けた後にスポイラ付きのパネルを取り付けることによって、当該凹部を覆い隠すようにした構造が開示されている。
【特許文献１】特開２００２−３７０６２６号公報
【発明の開示】
【発明が解決しようとする課題】
【０００５】
ところで、前述したようなスポイラ無しのバックドアを標準とし、その外観面に対し取り付け穴等の穴開け加工を施してスポイラを取り付ける構成は、全てのグレードに対してスポイラを取り付ける場合においては適切ではない。
【０００６】
また、グレードに応じて種類の異なるスポイラが取り付けられる場合においては、その各種類のスポイラを、美観を損なうことなく安定して固定される構造が求められる。例えば、車両の空力特性を向上させるために、ルーフ面に連続するような上面を有する下側整流板と、その下側整流板の上面との間で車両後方への空気流路を形成するように、当該下側整流板に対し離されて配置された本体部を有する上側整流板と、を含んだスポイラをバックドアに対して固定する場合、２つの整流板は間隔を空けて重なって配置されるため、それらを共に安定して固定するには工夫が必要である。
【０００７】
本発明は、かかる点に鑑みてなされたものであり、その目的とするところは、リヤスポイラの取り付けを前提としたバックドアの構成において、スポイラの取り付け構造の最適化を図ることにある。
【課題を解決するための手段】
【０００８】
本発明の一側面によると、バックドア構造は、車両の前後方向に延びて車室上方を区画すると共に、前記車両の上面を構成するルーフ面を有するルーフと、前記ルーフの後側で車体に対し枢支されることにより前記車室の後端開口を開閉可能に区画するバックドアと、前記バックドアの上端部に対して、車幅方向に延びるように取り付けられたスポイラと、を備え、前記バックドアは、車室側に配置されるインナパネルと、車外側に配置されかつ前記バックドアの外観面を構成するアウタパネルと、を接合してなり、前記アウタパネルの上端部には、前記バックドアの外観面から凹陥すると共に、車幅方向に延びかつ、前記バックドア上端部における車幅方向両端の角部において、当該バックドアの側縁に沿って上下方向に拡がるように連続する凹溝が形成されており、前記スポイラは、前記凹溝内に取付固定されかつ、前記ルーフ面に連続して車両後方へ拡がる上面を有する下側整流板と、前記下側整流板の上面との間で車両後方への空気流路を形成するように当該下側整流板に対し離されて配置された本体部を有する上側整流板と、を含み、前記上側整流板は、車幅方向に延びる前記本体部の両端それぞれに設けられかつ、当該本体部から前記凹溝に向かって延びる２つの脚部をさらに有しており、前記下側整流板は、前記凹溝内における車幅方向の中央部に配設され、前記両脚部は、前記下側整流板における車幅方向の両端部をそれぞれ覆うように配置されかつ、前記凹溝においてバックドアの車幅方向の両側部それぞれで上下方向に拡がる部位に固定され、前記上側整流板及び下側整流板は、前記上側整流板における前記各脚部の外側面が前記凹溝の各角部の外縁に合致しつつ、前記凹溝を覆って前記バックドア上端部の外観面を構成しており、前記上側整流板の各脚部には、前記下側整流板に対して係合することによって当該上側整流板と下側整流板との間の相対的な位置決めをする位置決め部と、前記上側整流板と前記下側整流板とを連結する連結部と、前記上側整流板と前記下側整流板とを前記凹溝内に共締めするための共締め部と、が設けられている。
【０００９】
この構成によると、バックドアにおける外観面を構成するアウタパネルには、その上端部に外観面から凹陥すると共に、車幅方向に延びる凹溝が予め形成されている。この凹溝はスポイラ取付用の凹溝であり、このような凹溝を予め形成しておくことによって、バックドアに対してスポイラを常に取り付ける車種として、適当な構成となる。
【００１０】
そうして、その凹溝に対して取り付けられるスポイラは、ルーフ面に連続する上面を有する下側整流板と、下側整流板に対し離されて配置される上側整流板と、を含んでおり、下側整流板は、凹溝内に取付固定される一方で、上側整流板は、その脚部が凹溝内における下側整流板の車幅方向の両端部をそれぞれ覆うように配置され、下側整流板の取り付け位置以外の位置において凹溝に対し固定されることにより、バックドアに対し取り付けられる。このことで、上側及び下側整流板をそれぞれ、凹溝内で棲み分けしつつ、上側及び下側整流板のそれぞれを凹溝に直接固定することで、両整流板をバックドアに対し安定して固定することが実現する。
【００１１】
また、凹溝は、上側整流板と下側整流板とによって覆われることにより、外観上現れなくなり、美観を損なうことなく、上側及び下側整流板の２つの整流板からなるスポイラが、バックドアの上端部に取り付けられる。
【００１２】
また、上側整流板を省略して、凹溝内に取付固定される整流板（前記の下側整流板に対応する整流板）のみを備えることも可能である。この場合、当該整流板によって凹溝の全域を覆うようにすればよい。このように、前記の凹溝を備えた構成は、種類の異なるスポイラそれぞれを、バックドアに安定して取り付けることが可能である。つまり、この構成は、グレードに応じて種類の異なるスポイラを、バックドアに取り付ける場合に対応し得る。
【００１３】
ここで、下側整流板は、ルーフ面に連続して車両後方へ拡がる上面を有しているため、ルーフ面に沿って流れる空気流れを、その上面に沿って車両後方へと流すことになる。そのため、この空気流れは、下側整流板の後端で剥がれることになる。これにより、ルーフ面に沿って流れる空気流は、バックドアの後端面から後方に離れた位置で流れることにより、ルーフ面に沿って流れる空気流と車両の側面に沿って流れる空気流とは、車両の後端面から後方に離れた位置で混ざり合うようになる。これにより、車両の後端面近傍での渦の発生が防止され、車両に対して作用する抗力が低減する。
【００１４】
一方、上側整流板は、下側整流板に対して離されて配置された、いわゆるフローティング型のスポイラであり、主に揚力特性の改善に寄与する。
【００１５】
従って、上側整流板と下側整流板とを備えたスポイラは、車両の抗力特性及び揚力特性を共に向上させる上で有効である。
【００１６】
前記上側整流板の脚部に位置決め部を形成することで、上側整流板と下側整流板との位置決め精度が向上し、上側整流板及び下側整流板をバックドアに対して取付固定する際の作業性が向上する。それと共に、その取り付けが確実に行われて、取付力の向上が図られる。
【００１７】
さらに、下側整流板の車幅方向の両端部それぞれを、上側整流板の脚部を利用して隠すことができ、美観処理の上で有効である。
【００１８】
また、下側整流板と、その下側整流板の上方位置に配置される上側整流板とは、その車幅方向の両側部において互いに結合されるようになるから、２つの整流板を含むスポイラの外観上の一体化が図られる。
【００１９】
さらに、上側整流板における幅広の両脚部を、車両の後端上部における車幅方向の両側部に配置することによって、ルーフ面に沿って流れる空気流れと車両の側面に沿って流れる空気流れとは、当該脚部を避けて、その脚部を挟んだ両側それぞれを流れるようになる。従って、ルーフ面に沿って流れる空気流れと車両の側面に沿って流れる空気流れとが、車両の後端面近傍において混ざり合うことが回避される。その結果、車両の後端面近傍での強い渦の発生が防止され、車両に対して作用する抗力が低減する。
【００２０】
前記上側整流板は、前記各脚部に設けられたファスナによって前記凹溝内に取り付けられ、前記連結部は、ボルト・ナットからなる締結部材によって構成され、前記共締め部は、前記上側整流板の各脚部に設けられたスタッドボルトと、前記下側整流板に設けられかつ、前記スタッドボルトが挿通する固定片とを含んで構成されている、としてもよい。
【発明の効果】
【００２１】
以上説明したように、本発明によると、バックドアを構成するアウタパネルに対して凹溝を予め形成しておくことによって、バックドアに対してスポイラを常に取り付ける車種として適当な構成とすることができる。それと共に、その凹溝に対して、上側整流板と下側整流板とを含むスポイラを取り付ける構成として、凹溝内における下側整流板を外した位置に上側整流板の脚部を固定することにより、上側及び下側整流板をそれぞれ、凹溝内で棲み分けしつつ、それらを凹溝に対して直接固定することで、バックドアに対し安定して固定することができる。
【００２２】
また、上側整流板及び下側整流板によって凹溝を覆い隠すことによって、美観処理も同時に達成することができる。
【発明を実施するための最良の形態】
【００２３】
以下、本発明の実施形態を図面に基づいて説明する。尚、以下の好ましい実施形態の説明は、本質的に例示に過ぎず、本発明、その適用物或いはその用途を制限することを意図するものではない。
【００２４】
図１〜５は、本発明に係るルーフスポイラ装置を備えた車両１の後部を示す。この車両１は、いわゆるハッチバックタイプの車両１であり、車両前後方向に延びて配設されかつ、車室上方を区画するルーフ１１と、ルーフ１１の後側に配設されかつ、ルーフ１１と車幅方向両側のリヤフェンダ１４，１４とによって形成される車室の後端開口を開閉可能に区画するバックドア４と、を備えている。
【００２５】
前記ルーフ１１は、例えば図１３等にも示すように、バックドア４の一部と共に、車両１の上面を構成するルーフ面１２を有しており、このルーフ面１２は、図４に示すように、車両前後方向の中間部から後端に向かって所定の傾斜角度αで下向きに傾斜している。傾斜角度αは、例えば１０°程度に設定すればよい。
【００２６】
バックドア４は、その上端部が、車幅方向に所定の間隔を空けて配置された一対のヒンジ１５（図３，図１５参照）を介して車体に対し枢支されており、これによってこのバックドア４は、車幅方向に延びる枢軸周りに回動することによって車室の後部開口を開閉する、いわゆる跳ね上げ式に構成されている。
【００２７】
図２等に示すように、バックドア４における相対的に上側の部分には、バックウインドウガラス４０が取り付けられており、バックドア４とバックウインドウガラス４０とによって、車両１の後端面（バックドア面１３）が構成されている。
【００２８】
バックウインドウガラス４０は、この実施形態では、車両を背面視（後面視）で見て、車幅方向に略水平に延びる上端縁と、上端縁の両端から下方に向かって延びる両側端縁と、各両側端縁の下端から車幅方向内方の下方に向かって傾斜して延びて車幅方向の中央位置において互いに連結する下端縁と、を含む略５角形状を有している。
【００２９】
バックドア４は、図１３〜図１７に示すように、車室側に位置するインナパネル４１と車外側に位置するアウタパネル４２との端縁同士を互いに接合することによって構成されており、その内部は中空とされている。アウタパネル４２は、バックドア面１３を構成するパネルであり、その外表面によって車両１の外観面が構成されることになる。
【００３０】
バックドア４には、図６に示すように、前記バックウインドウガラス４０の略５角形状に対応する、略５角形状の開口４０１が形成されており、この開口４０１の部分に、バックウインドウガラス４０が車両の後方側から嵌め込まれて固定されることで、当該バックウインドウガラス４０がバックドア４に対して取り付けられることになる。具体的にバックウインドウガラス４０は、その端縁部が、図１３等に示すように、開口４０１を区画するアウタパネル４２の周縁部に対して接着剤４０２により固定されている。尚、符号４０３は、アウタパネル４２の開口周縁部の全周に亘って、接着剤４０２よりも開口４０１の内方側に配置され、それによって、接着剤４０２がバックウインドウガラス４０の内方側に流れ出ることを防止するダム部４０３である。
【００３１】
この実施形態のバックドア４では、バックウインドウガラス４０の両側端縁の外側それぞれに、その両側端縁に沿って上下方向に延びる外観面が、アウタパネル４２により設けられている。しかしながらバックドア４の構成は、こうした構成に限定されるものではなく、例えばバックウインドウガラス４０を車幅方向にさらに拡げるようにして、バックウインドウガラス４０の両側端縁がバックドア４の車幅方向の両側縁に位置するような構成としてもよい。また、バックウインドウガラス４０の形状についても特に制限がないことは言うまでもない。
【００３２】
この車両１におけるバックドア面１３は、バックウインドウガラス４０とバックドア４とによって構成されるため、車両１を側面視で見たときには、ルーフ面１２の後端から、バックウインドウガラス４０によってそのルーフ面１２の傾斜角度αよりも急角度で下向きに傾斜した後に、アウタパネル４２によって鉛直下向きに延びてリヤバンパ１８に至ることになる（例えば図４参照）。
【００３３】
そして、図１〜５に示すように、このバックドア４におけるバックウインドウガラス４０よりも上側の部分に、リヤスポイラ１０が取り付けられている。このリヤスポイラ１０は、それぞれ車幅方向に延びる、上側整流板５と下側整流板７とを含んで構成されている。この内、下側整流板７は、車幅方向の中央位置においてバックドア４に固定されているのに対し、上側整流板５は、下側整流板７に対して、後方の斜め上方位置に、この下側整流板７とは離されて配設されている。
【００３４】
図６に示すように、バックドア４のアウタパネル４２には、バックウインドウガラス４０の上端縁よりも上側の部分に、アウタパネル４２の外観面から凹陥した凹溝４３が形成されている。凹溝４３は、バックドア４の車幅方向の中央から両側に向かってそれぞれ延びており、そのバックドア４上部の両側角部のそれぞれにおいて、上下方向に拡がっている。
【００３５】
この凹溝４３内には、リヤスポイラ１０（上側整流板５及び下側整流板７）を取り付けるための、複数の取付部が設けられている。具体的に取付部は、車幅方向の中央位置である第１取付位置に配置された第１取付部４４と、第１取付部４４よりも車幅方向の外方位置である第２取付位置に配置された第２取付部４５，４５と、第２取付部４５よりもさらに車幅方向の外方位置である第３取付位置に配置された第３取付部４６，４６と、凹溝４３の車幅方向の両側部における相対的に上側の位置である第４取付位置に配置された第４取付部４７，４７と、凹溝４３の車幅方向の両側部における相対的に下側の位置である第５取付位置に配置された第５取付部４８，４８と、の合計９個の取付部を含んでいる。
【００３６】
図１３に示すように、第１取付位置では、雄側ファスナ８１及び雌側ファスナ８１１からなる結合手段によって、下側整流板７がバックドア４に対し取付固定される。つまり、第１取付部４４は、アウタパネル４２に対し板厚方向に貫通して形成された貫通孔内に、雌側ファスナ８１１が、後方の斜め上方を向くように固定されることにより構成されている。また第１取付位置においては、インナパネル４１に対して板厚方向に貫通する貫通孔４１１が形成されている。この貫通孔４１１は、雌側ファスナ８１１を破壊して取り外すときに利用される孔である。
【００３７】
図１４に示すように、第２取付位置では、スタッドボルト８２及びナット８２１からなる締結手段によって、下側整流板７がバックドア４に対し取付固定される。第２取付部４５は、アウタパネル４２を板厚方向に貫通しかつ、前記スタッドボルト８２が、後方から前方に向かって斜め下向きに挿通するボルト孔４５によって構成されている。また、第２取付位置においては、インナパネル４１に対して板厚方向に貫通する、比較的大径の作業孔４１２が形成されている。この作業孔４１２は、スタッドボルト８２に対しナット８２１を締結するときの作業孔である。
【００３８】
図１５に示すように、第３取付位置では、雄側ファスナ８３及び雌側ファスナ８３１からなる結合手段によって、下側整流板７がバックドア４に対し取付固定される。第３取付部４６は、第１取付部４４と同様に、アウタパネル４２に対し板厚方向に貫通して形成された貫通孔内に、雌側ファスナ８３１が、後方の斜め上方を向くように固定されることにより構成されている。また、第３取付位置においても、インナパネル４１に対し板厚方向に貫通する貫通孔４１３が形成されている。尚、図１５において、符号４９は、インナパネル４１とアウタパネル４２との間に配設されかつ、ヒンジ１５をバックドア４に固定するための補強用レインフォースメントパネルである。
【００３９】
図１６に示すように、第４取付位置では、スタッドボルト５５２及びナット５５３からなる締結手段によって、下側整流板７と上側整流板５との双方がバックドア４に対して取付固定される。第４取付部４７は、アウタパネル４２を板厚方向に貫通しかつ、前記スタッドボルト５５２が、後方から前方に向かって斜め下向きに挿通するボルト孔４７によって構成されている。また、第４取付位置においては、インナパネル４１に対し、作業孔４１４が板厚方向に貫通して形成されている。尚、第４取付位置の付近（つまり、車幅方向の外側位置）は、インナパネル４１の車室内方側にトリムが配設されないと共に、バックドア４を開けたときに外部に露出することから、前記作業孔４１４を閉塞するためのキャップ４１５が取り付けられている。また、図１６において符号４１０は、インナパネル４１とアウタパネル４２との間に介設されかつ、バックドア４上部の両側角部を補強するためのレインフォースメントパネルである。
【００４０】
図１７に示すように、第５取付位置では、ファスナ５６からなる結合手段によって、上側整流板５がバックドア４に対して取付固定される。第５取付部４８は、アウタパネル４２を板厚方向に貫通しかつ、前記ファスナ５６が、後方から前方に向かって斜め下向きに挿通する係合孔４８によって構成されている。
【００４１】
下側整流板７は、図７に示すように、車幅方向に延びる細長い板状の本体部７１と、本体部７１における車幅方向の両端それぞれに設けられた取付部７２，７２と、を含んで構成されている。この内、本体部７１は外部に露出する部分である一方、取付部７２は、後述するように、上側整流板５の脚部５２によって隠れることで、外部には露出しない部分である。
【００４２】
下側整流板７は、樹脂材を周知のブロー成形法によって成形してなり、図１３〜１５に示すように、その本体部７１は、相対的に上側に配置される上壁部７３と、上壁部７３に対して相対して配置される下壁部７４とを有する中空構造とされている。尚、下側整流板７における車幅方向の中央位置にハイマウントストップランプを内蔵するようにしてもよい。本実施形態では、ハイマウントストップランプは内蔵していない。
【００４３】
上壁部７３は、図１３〜１５に示すように、この本体部７１をバックドア４に取り付けた状態においては、その上面が下向きに傾斜したルーフ面１２に対し連続して、バックドア４の上端縁から後方に向かって拡がるように構成されている。そうして、その上壁部７３の後端は、バックウインドウガラス４０の上端近傍において、そのガラス面（バックドア面１３）に対し後方の上方に離れて位置している。
【００４４】
下壁部７４は、前記上壁部７３の後端から車両前後方向の前方に向かって斜め下向きに延びるように配設されており、これによって、下側整流板７の下面は、いわゆるネガ面となるように構成されている。
【００４５】
この下壁部７４にはまた、バックドア４の凹溝４３内において、前記第１〜第３取付部４４〜４６に取付固定される合計５個の固定部８１〜８３が形成されている。５個の固定部８１〜８３は、図１１に示すように、下壁部７４の裏面側に、車幅方向に並んで配設されている。
【００４６】
この内、第１固定部８１は、車幅方向の中央位置である第１取付部４４に固定される部分であり、図１３に示すように、雄側ファスナ８１によって構成されている。この雄側ファスナ８１は、下壁部７４の裏面に対し直交する方向である、前方の斜め下方に向かってその裏面から突出するように設けられている。この雄側ファスナ８１は、下側整流板７の成形時に予め形成しておいた貫通孔内に、嵌合により固定されている。
【００４７】
第２固定部８２は、第２取付部４５に固定される部分であり、図１４に示すように、スタッドボルト８２によって構成されている。スタッドボルト８２は、下側整流板７のブロー成形時に埋め込みによって下壁部７４に固定されている。このスタッドボルト８２はまた、後述する上側整流板５に埋め込まれたスタッドボルト５５２と比較して、長さが長いボルトとされており、前記の雄側ファスナ８１と同様に、下壁部７４の裏面から前方の斜め下方に向かって突出して設けられている。
【００４８】
第３固定部８３は、第３取付部４６に固定される部分であり、図１５に示すように、第１固定部８１と同じ種類の雄側ファスナ８３によって構成されている。この雄側ファスナ８３もまた、下側整流板７の成形時に予め形成しておいた貫通孔内に、嵌合により固定されることによって、下壁部７４の裏面から前方の斜め下方に向かって突出して設けられている。
【００４９】
下側整流板７における、一対の取付部７２，７２は左右対称に形成されている。ここでは、車幅方向の左側に位置する取付部７２を例に、その構成を具体的に説明する。
【００５０】
取付部７２は、図８にも拡大して示すように、車幅方向の外方に向かって突出するように設けられた第１固定片７５と、第１固定片７５よりも車両前後方向の後方位置に設けられた第２固定片７６と、本体部７１における車幅方向の側壁部に対し、車幅方向の外方に向かって凸状となるように設けられた係合部７７と、を含んでいる。
【００５１】
第１固定片７５は、詳しくは後述するが、前記第４取付位置において、上側整流板５と共にバックドア４に固定される部分であり、板厚方向に貫通する取付孔７５１を有している。
【００５２】
第２固定片７６は、上側整流板５に対して固定される部分であり、第１固定片７５と同様に、板厚方向に貫通する固定孔７６１を有している。
【００５３】
係合部７７は、詳しくは後述するが、上側整流板５の被係合部５７に係合して、上側整流板５と下側整流板７との相対的な位置決めをする部分である。この係合部７７は、車両前後方向の後方を向くように配設された略矩形状の当接面７７１と、この当接面７７１の上端縁に対し略直交して接合されることで上向きに配設された略三角形状の上面７７２と、当接面７７１の外側端縁に対して略直交して接合されることで車幅方向の外方向きに配設された略三角形状の横面７７３と、を含んでいる。
【００５４】
上側整流板５は、車幅方向に延びる本体部５１と、その本体部５１の車幅方向両端部に設けられる一対の脚部５２，５２とからなり、図２等に示すように、車両１を後面視で見たときに、車幅方向の中央部が両端部に比べて上向きに凸となったアーチ形状を有している。そして、上側整流板５の本体部５１が、前述したように、下側整流板７に対して後方の斜め上方位置に、この下側整流板７とは離れて配設され、脚部５２が、バックドア４の上部における両側角部のそれぞれに固定されている。この脚部５２は、例えば図５に示すように、バックウインドウガラス４０の両側端縁の外側それぞれに設けられた、アウタパネル４２による外観面の上方に位置すると共に、そのバックドア４の車幅方向の両側部それぞれにおいて上下方向に比較的大きく拡がっている。
【００５５】
上側整流板５も、下側整流板７と同様に、樹脂材を周知のブロー成形法によって成形してなり、図１３〜１７に示すように、その本体部５１は、相対的に上側に配置される上壁部５３と、上壁部５３に対して相対して配置される下壁部５４とを有する中空構造とされている。そうして、この上側整流板５の本体部５１は、横断面形状が翼型に形成されている。
【００５６】
図９は、上側整流板５の裏面側を上向きにして示す図であり、図の右側は、車幅方向の左側に対応し、図の左側は、車幅方向の右側に対応する。
【００５７】
一対の脚部５２，５２は左右対称に形成されている。ここでは、車幅方向の左側の脚部を例に、その構成を具体的に説明する。脚部５２は、図１０にも拡大して示すように、その裏面側に、下側整流板７の第１固定片７５と係合すると共に、バックドア４の第４取付部４７に対し固定される第４固定部５５と、バックドア４の第５取付部４８に対して単独で固定される第５固定部５６と、下側整流板７の係合部７７に対して係合する被係合部５７と、下側整流板７の第２固定片７６と係合して互いに固定される係合固定部５８と、を含んでいる。
【００５８】
被係合部５７は、前述したように、上側整流板５と下側整流板７とを略上下方向に重ね合わせたときに、下側整流板７の係合部７７が係合することでその上側整流板５と下側整流板７との相対的な位置決めをする部分である。この被係合部５７は、前記係合部７７の当接面７７１に対して当接する被当接面５７１と、上面７７２及び横面７７３の部分が位置するように凹陥した凹部５７２と、を含んで構成されている。
【００５９】
係合固定部５８は、上側整流板５と下側整流板７とを略上下方向に重ね合わせたときに、前記第２固定片７６の上面が当接する当接面５８１と、その内部に埋め込まれたナット（図示省略）とから構成されている。ナットは、上側整流板５のブロー成形時に埋め込みにより内蔵され、そのねじ孔５８２は、前記当接面５８１上に開口している。
【００６０】
第４固定部５５は、第４取付位置に相当する位置に設けられており、上側整流板５と下側整流板７とを略上下方向に重ね合わせたときに、第１固定片７５の上面が当接する当接面５５１と、この当接面５５１から突出するスタッドボルト５５２（図１６参照）とから構成されている。スタッドボルト５５２は、第１固定片７５の取付孔７５１に内挿されるボルトであって、当接面５５１に対して直交するように、その当接面５５１から前方の斜め下方に向かって突出して設けられている。このスタッドボルト５５２は、上側整流板５のブロー成形時に埋め込みにより脚部５２に固定されている。
【００６１】
第５固定部５６は、第５取付位置に対応する位置に設けられており、図１７に示すように、ファスナ５６によって構成されている。このファスナ５６は、前述の下側整流板７に取り付けられた雄側ファスナ８１，８３とは種類が異なり、第５取付位置に設けられた係合孔４８に対し係合する爪を有している。つまり、ファスナ５６の先端部が係合孔４８を通過した後に爪が拡がって、その爪と係合孔４８の周縁部とが係合することで、ファスナ５６が係合孔４８に対し固定されることなる。このような構成であるが故に、このファスナ５６は、前記の雄側ファスナ８１，８３よりも、結合力が弱いファスナとなっている。尚、図９〜図１２においては、爪の図示を省略してファスナ５６を模式的に示している。
【００６２】
次に、上側整流板５及び下側整流板７の取り付け構造について、図１３〜１７を参照しながらさらに詳細に説明する。
【００６３】
先ず、図１３に示すように、第１取付位置においては、下側整流板７に固定された雄側ファスナ８１が、バックドア４のアウタパネル４２に対して固定された雌側ファスナ８１１に対し内嵌されることにより、雄側ファスナ８１と雌側ファスナとが互いに結合されて、下側整流板７がバックドア４に対し固定されている。
【００６４】
第２取付位置においては、図１４に示すように、下側整流板７に固定されたスタッドボルト８２が、バックドア４のアウタパネル４２に形成されたボルト孔４５内に挿通されると共に、アウタパネル４２の内面から斜め下向きに突出するスタッドボルト８２に対して、インナパネル４１の作業孔４１２を通じてナット８２１を螺合させることによって、そのスタッドボルト８２及びナット８２１の締結により、下側整流板７がバックドア４に対して固定されている。
【００６５】
第３取付位置においては、図１５に示すように、第１取付位置と同様に、下側整流板７に固定された雄側ファスナ８３が、バックドア４のアウタパネル４２に対して固定された雌側ファスナ８３１に対し内嵌されることにより、雄側ファスナ８３と雌側ファスナ８３１とが互いに結合されて、この下側整流板７がバックドア４に対して固定されている。
【００６６】
第４取付位置においては、図１６に示すように、上側整流板５とバックドア４のアウタパネル４２との間に下側整流板７の第１固定片７５を挟んだ状態で、上側整流板５に固定されたスタッドボルト５５２が、取付孔７５１及びボルト孔４７内を通って、アウタパネル４２の内面から斜め下向きに突出しており、作業孔４１４を通じてナット５５３をスタッドボルト５５２に螺合させて共締めすることにより、上側整流板５及び下側整流板７がバックドア４に対して固定されている。
【００６７】
第５取付位置においては、図１７に示すように、上側整流板５に固定されたファスナ５６の爪が、バックドア４のアウタパネル４２に対して形成された係合孔４８に対して係合することによって、上側整流板５がバックドア４に対して固定されている。
【００６８】
次に、前記の構成の上側整流板５及び下側整流板７からなるリヤスポイラ１０を、車両１に対して取り付ける際の手順について簡単に説明する。先ず、図１１，１２に示すように、上側整流板５に固定されているスタッドボルト５５２が、下側整流板７における第１固定片７５の取付孔７５１に内挿されると共に、下側整流板７の係合部７７が、上側整流板５の被係合部５７に対して係合されるように、上側整流板５及び下側整流板７を略上下方向に重ね合わせる。そうして、係合部７７の当接面７７１と、被係合部５７の被当接面５７１とを互いに当接させることによって、上側整流板５と下側整流板７との相対的な位置決めが行われ、それによって、下側整流板７における第２固定片７６の固定孔７６１と、上側整流板５における係合固定部５８のねじ孔５８２とが互いに同軸となるようになる。そこに、下側整流板７の裏面側からボルト５６３を挿通させて締め込むことによって、上側整流板５と下側整流板７との相対的な位置を合わせた状態で、両整流板５，７を互いに固定する。
【００６９】
２つの整流板５，７を互いに固定した状態で、上側整流板５における車幅方向の両端に位置するファスナ５６を、バックドア４の凹溝４３における第５取付部（係合孔４８）に挿入する。ファスナ５６を係合孔４８に挿入することだけで、ファスナ５６は係合孔４８に係合される。こうしてスポイラ１０をバックドア４に対して、いわゆる仮止めの状態にする。
【００７０】
その後、第１及び第３の各取付位置において雄側ファスナ８１，８３及び雌側ファスナ８１１，８３１を互いに係合させると共に、第２及び第４の各取付位置において、スタッドボルト８２，５５２及びナット８２１，５５３を互いに螺合させる。このことによって、スポイラ１０がバックドア４に対して強固に固定されるようになる。
【００７１】
このように、上側整流板５及び下側整流板７の固定を、ファスナからなる結合手段と、スタッドボルト及びナットからなる締結手段と、の組み合わせによって行うことで、スポイラ１０の取付作業を容易にしつつ、スポイラ１０を強固に固定することが可能になる。
【００７２】
本実施形態に係る車両１においては、そのバックドア４のアウタパネル４２に対して凹溝４３を予め形成しており、バックドア４の上端部に対してスポイラを常に取り付ける車種として適当な構成にされている。本実施形態では、上側整流板５と下側整流板７とを含むスポイラ１０を凹溝４３内に取り付けているが、例えばアーチ状の上側整流板を含まないスポイラ（下側整流板７に相当する整流板のみ）を、凹溝４３内に取付固定することも可能である。従って、グレードに応じて、種類の異なるスポイラを、同じバックドア４に対して取り付けることができる。
【００７３】
尚、前記のスポイラ１０は、その上側整流板５は第４及び第５取付位置において、凹溝４３に固定され、下側整流板７は第１〜第４取付位置において、凹溝４３に固定されているが、下側整流板７に相当する整流板のみを凹溝４３内に取付固定するときには、第１〜第５の全ての取付位置において、当該整流板を凹溝４３に固定させればよい。
【００７４】
前記のスポイラ１０は、上側整流板５と下側整流板７との２つの整流板を含んでいるが、この内、下側整流板７は凹溝４３内に取り付け固定される一方で、上側整流板５は、その両脚部５２が、凹溝４３における下側整流板７を外した位置としての車幅方向の両側部に固定されることによって、バックドア４に固定されている。このように凹溝４３は、上側整流板５及び下側整流板７の双方の整流板を固定するために兼用される部分とされており、上側及び下側整流板５，７をそれぞれ凹溝４３内で棲み分けしつつ、上側及び下側整流板５，７をそれぞれ凹溝４３に対し直接的に固定することによって、これらの整流板５，７をバックドア４に対し安定して固定することができる。
【００７５】
また、凹溝４３は、上側整流板５及び下側整流板７によって覆い隠されるため、上側整流板５及び下側整流板７の固定と同時に、バックドア４の上端部の美観処理も達成することができる。
【００７６】
さらに、下側整流板７の車幅方向の両端部としての取付部７２はそれぞれ、上側整流板５の両脚部５２に覆われて隠れる。このように、上側整流板５を固定する機能を有する脚部５２を利用して、下側整流板７の取付部７２を隠すことにより、美観処理の効率化が図られる。また、アーチ状の上側整流板５と板状の下側整流板７とは、その車幅方向の両側部において互いに結合されるようになるから、両整流板５，７を含むスポイラ１０の外観上の一体化を図ることができる。
【００７７】
また、上側整流板５に被係合部５７を設け、下側整流板７に係合部７７を設けて、その被係合部５７及び係合部７７を互いに係合させることによって、上側整流板５と下側整流板７との位置決め精度が向上し、上側整流板５及び下側整流板７をバックドア４に対して取付固定する際の作業性が向上する。それと共に、その取り付けが確実に行われて、取付力の向上が図られる。
【００７８】
次に、前記構成のリヤスポイラ１０によって得られる車両１の空力特性について、図を参照しながら説明する。
【００７９】
図１８は、本実施形態に係るリヤスポイラ１０を備えた車両１についての、空気の流れを模式的に示している。同図によると、ルーフ１１上の空気の流れは、後方に向かって下方に傾斜したルーフ面１２に沿って、後方の下方に向かって流れる。これによって、車両１の後方における空気流れの乱れ幅が狭くなり、車両１に作用する抗力は低下する。
【００８０】
そして、ルーフ面１２の後端部において、空気流れは、上側整流板５の上側を通って後方に流れる一方で、空気流れの一部は、上側整流板５と下側整流板７との間を通って後方に流れる。
【００８１】
上側整流板５と下側整流板７との間を通る空気流れは、その下側整流板７の上面に沿って流れる。前述したように、この下側整流板７の上面（上壁部７３）は、ルーフ面１２に連続するように後方の下方に向かって傾斜しているため、空気流れは、後方の下向きに流れた後に、下側整流板７の後端で剥離する。
【００８２】
下側整流板７の後端は、バックドア面１３に対し後方の上方に離れて位置しているため、下側整流板７の後端で剥離した空気流れは、バックドア面１３から後方に離れた位置を流れる。このように、下側整流板７は、ルーフ面１２に沿う空気流れを、バックドア４のバックドア面１３に沿って流すのではなく、そこから離して流す機能を有する。これにより、車両１の側面に沿って後方に流れる空気流れと、ルーフ面１２に沿う空気流れとは、車両のバックドア面１３の近傍では混ざり合わず、そこから後方に離れた位置で混ざり合うようになる。そうして、その２つの空気流れによって発生する渦Ｖ１が、車両１の後方に離れて発生することで、その車両１に作用する抗力はさらに低減する。
【００８３】
また、上下方向に大きく拡がる上側整流板５の脚部５２が、車両１の後端上部における車幅方向の両側部に配置されることで、ルーフ面１２に沿って流れる空気流れと車両１の側面に沿って流れる空気流れとは、その脚部５２を避けて、脚部５２を挟んだ両側それぞれを流れるようになる。このように、上側整流板５の脚部５２によって、ルーフ面１２に沿って流れる空気流れと車両１の側面に沿って流れる空気流れとが分け隔てることにより、２つの空気流れが、車両１の後端面近傍において混ざり合うことが回避される。このことによっても、渦Ｖ１の発生を車両の後方にずらすことができ、車両１に対して作用する抗力を低減させることができる。
【００８４】
一方、上側整流板５の上側を流れる空気流れは、この上側整流板５の上面が後方に向かって下方に傾斜していることから、後方の下方に向かって流れるようになる。従って、車両１の後方の上部付近における空気流れの乱れは小さくなる。このことにより、この車両１においては、その後方の上部付近における空気流れの乱れに起因する圧力低下が抑制される。このため、特に高速走行時における上向きの揚力が小さくなり、車両１の揚力特性が向上する。また、揚力特性の改善を車両後方の上部付近における空気流れの乱れを小さくすることによって達成しているため、車両１の抗力特性を悪化させることはない。
【００８５】
これに対し図１９は、揚力特性の向上を目的とする一般的なリヤスポイラ１００を取り付けた車両１０１における空気流れを模式的に示している。このリヤスポイラ１００は、車幅方向の全幅に亘って延びると共に、バックドア４の上端部に対して後方の上方に離されて配置された、いわゆるフローティングタイプのリヤスポイラ１００である。
【００８６】
このリヤスポイラ１００は、その上面が後方に向かって所定角度で上向きに傾斜した、横断面翼形を有している。
【００８７】
この車両１０１では、ルーフ１１上の空気の流れは、後方に向かって下方に傾斜したルーフ面１２に沿って流れ、その後端部において、空気流れの一部は、リヤスポイラ１００とバックドア４との間を通って後方に流れる一方、残りの大部分は、上側整流板５の上側を通って後方に流れる。
【００８８】
リヤスポイラ１００の上側を流れる空気流れは、そのリヤスポイラ１００の上面に当たることで、上向きに向きを変えて流れるようになる。これによって、車両１の後部には下向きの力が作用するようになる。
【００８９】
一方で、このリヤスポイラ１００の後端において剥がれた空気流れによって、リヤスポイラ１００、ひいては車両１０１の後方には、大きな渦Ｖ２が発生する。
【００９０】
また、ルーフ面１２を後方に向かって下方に傾斜させていることによって、車両１の後方の空気流れの乱れ幅は狭くなる一方で、その空気流れと車両の側面に沿って流れる空気流れとが混ざり合うことによって、バックドア面１３の近傍で比較的強い渦Ｖ３が発生する。
【００９１】
こうして、この車両１０１では、車両後方における空気流れの乱れは相対的に大きく、抗力特性は、本実施形態に係るスポイラ１０を備えた車両１と比較して大幅に悪化する。一方で、スポイラ１００によって発生する下向きの力によって、圧力低下に起因して車両の後部に作用する上向き揚力がキャンセルされるため、所定の揚力特性が得られる。
【００９２】
図２０は、主に車両の抗力特性の向上を目的とする一般的なリヤスポイラ２００を取り付けた車両２０１における空気流れを模式的に示している。このリヤスポイラ２００は、バックドア４の上端部に対して取り付けられて、車幅方向の全幅に亘って延びている。
【００９３】
このリヤスポイラ２００はさらに、その上面が、ルーフ面１２の後端に連続して後方に向かって延びており、それによって、リヤスポイラ２００の後端は、バックドア面１３に対して後方の上方に離れて配置されている。
【００９４】
この車両２０１では、ルーフ１１上の空気の流れは、後方に向かって下方に傾斜したルーフ面１２に沿って流れる。これによって、車両２０１の後方における空気流れの乱れ幅を狭くする効果が得られる。また、空気流れは、そのルーフ１１の後端からリヤスポイラ２００の上面に沿って流れて、リヤスポイラ１０の後端で剥がれる。こうして、空気流れは、バックドア面１３からは後方に若干離れて流れるようになることで、そのバックドア面１３から離れた位置で渦Ｖ４が発生することになる。
【００９５】
こうして、この車両２０１では抗力特性を向上させることができる一方で、高速走行時においては圧力降下に起因する上向き揚力が発生するため、揚力特性は相対的に低くなる。
【００９６】
このように本実施形態に係る車両１は、上側整流板５と下側整流板７とを含むリヤスポイラ１０を備えることによって、図１９に示す車両１０１とは異なり、抗力特性を悪化させることなく、図２０に示す車両２０１と比較して大きく改善した揚力特性を得ることができる。その結果、この車両１は、揚力特性の向上に伴い後輪の接地性が高まることで、直進安定性が向上すると共に、抗力特性の向上により燃費が向上し、それらを両立させることができる。
【００９７】
尚、リヤスポイラ１０の構成は、前記の構成には限定されない。例えば、前記のリヤスポイラ１０では、車幅方向の両端部に脚部５２を設けることによって、上側整流板５をアーチ状に形成しているが、これに限るものではない。上側整流板の脚部として、本体部５１における車幅方向の中央位置や、それの近傍等に、１つ又は複数の脚部を追加してもよい。また、前記車幅方向両端部の脚部５２を省略して、本体部５１における車幅方向の中央位置や、それの近傍等に、１つ又は複数の脚部を設けてもよい。
【００９８】
その場合においては、下側整流板７において、前記上側整流板５の脚部に対応する位置それぞれに、当該脚部が貫通する穴を形成するか、または、その位置で下側整流板を複数に分割してもよい。そうすることによって、上側整流板５の脚部を、凹溝４３内における下側整流板の取り付け位置以外の位置においてその凹溝４３に対し固定しつつ、凹溝４３を上側整流板５と下側整流板７とによって覆うことができる。
【００９９】
また、下側整流板７及び上側整流板５の断面形状に特に制限はなく、必ずしも横断面翼型にしなくてもよい。
【０１００】
さらに、横断面翼型の上側整流板における翼弦線（つまり、横断面における前端と後端とを結ぶ直線）が、車両前後方向の後方の下方に向かって傾斜するように、上側整流板を設けることによっても、上側整流板５の上面を後方の下方に向かって傾斜させた場合と同様の特性を得ることができる。
【産業上の利用可能性】
【０１０１】
以上説明したように、本発明は、スポイラが取り付けられられるバックドア構造として有用である。
【図面の簡単な説明】
【０１０２】
【図１】本発明の実施形態に係るリヤスポイラが取り付けられた車両の後部を示す斜視図である。
【図２】本発明の実施形態に係るリヤスポイラが取り付けられた車両の後部を示す背面図である。
【図３】本発明の実施形態に係るリヤスポイラが取り付けられた車両の後部を示す平面図である。
【図４】本発明の実施形態に係るリヤスポイラが取り付けられた車両の後部を示す左側面図である。
【図５】本発明の実施形態に係るリヤスポイラが取り付けられた車両の後部を示す斜視図である。
【図６】バックドアの斜視図である。
【図７】下側整流板の斜視図である。
【図８】下側整流板の取付部を拡大して示す斜視図である。
【図９】上側整流板の裏面側を示す斜視図である。
【図１０】上側整流板の脚部の裏面側を示す斜視図である。
【図１１】上側整流板と下側整流板とを結合した状態を示す斜視図である。
【図１２】上側整流板と下側整流板とを結合した状態における脚部付近を拡大して示す斜視図である。
【図１３】図２のXIII−XIII端面図である。
【図１４】図２のXIV−XIV端面図である。
【図１５】図２のXV−XV端面図である。
【図１６】図２のXVI−XVI端面図である。
【図１７】図２のXVII−XVII端面図である。
【図１８】本発明の実施形態に係るリヤスポイラが取り付けられた車両の後部における空気流れを模式的に示す図である。
【図１９】揚力特性の向上を主目的としたリヤスポイラが取り付けられた車両の後部における空気流れを模式的に示す図である。
【図２０】抗力特性の向上を主目的としたリヤスポイラが取り付けられた車両の後部における空気流れを模式的に示す図である。
【符号の説明】
【０１０３】
１    車両
１０  スポイラ
１１  ルーフ
１２  ルーフ面
４    バックドア
４１  インナパネル
４２  アウタパネル
４３  凹溝
５    上側整流板
５２  脚部
５７  被係合部（位置決め部）
７    下側整流板
７７  係合部
【図１】
0005251259.tif 000002
【図２】
0005251259.tif 000003
【図３】
0005251259.tif 000004
【図４】
0005251259.tif 000005
【図５】
0005251259.tif 000006
【図６】
0005251259.tif 000007
【図７】
0005251259.tif 000008
【図８】
0005251259.tif 000009
【図９】
0005251259.tif 000010
【図１０】
0005251259.tif 000011
【図１１】
0005251259.tif 000012
【図１２】
0005251259.tif 000013
【図１３】
0005251259.tif 000014
【図１４】
0005251259.tif 000015
【図１５】
0005251259.tif 000016
【図１６】
0005251259.tif 000017
【図１７】
0005251259.tif 000018
【図１８】
0005251259.tif 000019
【図１９】
0005251259.tif 000020
【図２０】
0005251259.tif 000021